Podtech/llm-jp-corpus-v4-ja_patent huggingface dataset:
【手続補正書】
【提出日】平成29年11月9日(2017.11.9)
【手続補正１】
【補正対象書類名】特許請求の範囲
【補正対象項目名】全文
【補正方法】変更
【補正の内容】
【特許請求の範囲】
【請求項１】
ほぼ正方形の薄いシートの第１の頂点と、この第１の頂点の反対側にある第２の頂点において交叉する２辺の中間点とを結ぶ第１および第２の長い線分と、上記第２の頂点と上記２辺の中間点との間に形成される第３および第４の短い線分とにより囲まれて、先端が鋭角で後端が直角である線対称の四角形と、この線対称の四角形の両側に形成される２つの直角三角形とに区画し、上記第１の線分に谷線の折目を形成し、上記第２の線分に稜線の折目を形成して断面形状がＳ字またはＺ字状に折畳む装置であって、上記線対称の四角形とほぼ同じ形状のあおり板と、このあおり板の谷線の折目側に沿って固定された棒材を備え、上記折畳む装置をテーブルに載置し、上記折畳む装置のあおり板の先端部および後端部に、上記正方形の薄いシートの対角線を合わせるように載置したのち、上記棒材を１８０度回動して、あおり板の棒材と上記テーブルとの間で谷線の折目を形成し、上記あおり板の棒材の反対側の縁部で稜線の折目を形成することを特徴する薄いシートを折畳む装置。
【請求項２】
ほぼ正方形の薄いシートの第１の頂点と、この第１の頂点の反対側にある第２の頂点において交叉する２辺の中間点とを結ぶ第１および第２の長い線分と、上記第２の頂点と上記２辺の中間点との間に形成される第３および第４の短い線分とにより囲まれて、先端が鋭角で後端が直角である線対称の四角形と、この線対称の四角形の両側に形成される２つの直角三角形とに区画し、上記第１の線分に谷線の折目を形成し、上記第２の線分に稜線の折目を形成して断面形状がＳ字またはＺ字状に折畳まれたシートをさらに長手方向と直交する方向に二つ折りにする装置であって、断面形状がＳ字またはＺ字状に折畳まれた薄いシートを、先端に爪または針を付けた板を用いて細長い折込口に押し込んで折り畳むことを特徴する薄いシートを折畳む装置。
【手続補正書】
【提出日】平成29年12月1日(2017.12.1)
【手続補正１】
【補正対象書類名】特許請求の範囲
【補正対象項目名】全文
【補正方法】変更
【補正の内容】
【特許請求の範囲】
【請求項１】
射出成型したポリマー材料を含む、成型したプラスチック物体であって、
内壁を有するプラスチック物体内の少なくとも１つの蒸気チャンバと、
前記蒸気チャンバの前記内壁の少なくとも一部と接触するウィッキング材料と、
前記蒸気チャンバ内の作業液と、を含み、
前記作業液、前記ウィッキング材料、または両者は、前記プラスチック物体の暖かい領域から冷たい領域へと熱を分配するように構成され、前記成形したプラスチック物体は、固体から液体へ相変化するインク用の固体相変化インクジェット印刷ヘッドである、成型したプラスチック物体。
【請求項２】
インクジェット印刷ヘッドを含む、請求項１に記載の成型したプラスチック物体。
【請求項３】
前記ウィッキング材料がポリマーフォームを含む、請求項１に記載の成型したプラスチック物体。
【請求項４】
前記作業液が相変化を受ける、請求項１に記載の成形したプラスチック物体。
【請求項５】
前記作業液が、−２０℃〜１２０℃の温度範囲で相変化を受ける、請求項４に記載の成型したプラスチック物体。
【請求項６】
前記射出成型したポリマー材料が、熱伝導性フィラーを含む、請求項１に記載の成型したプラスチック物体。
【請求項７】
前記作業液が熱伝導性粒子を含む、請求項１に記載の成型したプラスチック物体。
【請求項８】
前記作業液が水を含む、請求項１に記載の成形したプラスチック物体。
【手続補正書】
【提出日】平成29年12月7日(2017.12.7)
【手続補正１】
【補正対象書類名】特許請求の範囲
【補正対象項目名】全文
【補正方法】変更
【補正の内容】
【特許請求の範囲】
【請求項１】
画像形成部材の表面に湿潤液の均一層を適用する工程と、
デジタル画像データによる湿潤液の部分を選択的に除去することによって湿潤液層をレーザーパターニングする工程と、
前記画像形成部材表面上のレーザーパターニングされた湿潤液層を、インクビヒクルと、任意に膨潤性で、サイズが５００ｎｍ未満の自己融合ポリマー性ナノ粒子を含む水性不均質インクを用いてインキングし、インク画像を形成する工程であって、前記水性不均質インク中の前記自己融合ポリマー性ナノ粒子は、前記インクが前記画像形成部材表面から転写される前に、活性レオロジー調整なしで、自己融合し、前記ポリマー性ナノ粒子はスルホン化ポリエステルポリマー樹脂から形成され、前記画像形成部材表面はフルオロシリコーンを含む工程と、
を含む、インク系デジタル印刷のための方法。
【請求項２】
前記水性不均質インクは、約３０質量パーセントと約７５質量パーセントの間の液体インクビヒクルを含む、請求項１に記載の方法。
【請求項３】
前記水性不均質インクは、１０質量パーセントと７５質量パーセントの間の水含有量を含む、請求項１に記載の方法。
【請求項４】
前記水性不均質インクは、約１０質量パーセントと約５５質量パーセントの間のポリマー又はオリゴマー含有量を含む、請求項１に記載の方法。
【請求項５】
前記水性不均質インクは、約５質量パーセントと約２５質量パーセントの間の顔料含有量を含む、請求項１に記載の方法。
【請求項６】
インキング温度での前記水性不均質インクは、１０センチポイズと１００００センチポイズの間の粘度を有し、前記温度は約２０℃と約５０℃の間にある、請求項１に記載の方法。
【請求項７】
前記湿潤液層が非水性液体を含み、前記非水性液体が、約２０℃〜約５０℃の温度範囲内において水と実質的に混和性でない、請求項１に記載の方法。
【手続補正書】
【提出日】平成29年12月4日(2017.12.4)
【手続補正１】
【補正対象書類名】特許請求の範囲
【補正対象項目名】全文
【補正方法】変更
【補正の内容】
【特許請求の範囲】
【請求項１】
構造体を形成するシステムであって、
３次元（３Ｄ）プリンタを含み、前記３次元（３Ｄ）プリンタが、
ポリマーを含む第１の容器と、
接着剤を含む第２の容器と、
プラットフォーム上にポリマーを分配して３Ｄサブ構造体を形成するよう設定されるノズルと、
前記３Ｄサブ構造体上に接着剤を分配するよう設定されるノズルと、
前記接着剤の印刷後、前記接着剤を覆い、前記接着剤の空気への露出を少なくし、それによって前記接着剤の硬化速度を下げるように設定される膜被覆と、
を含むシステム。
【請求項２】
ポリマーを分配するよう設定される前記第１の容器および前記ノズルを含む第１の印刷ヘッドと、
接着剤を分配するよう設定される前記第２の容器および前記ノズルを含む第２の印刷ヘッドと、をさらに含む請求項１に記載のシステム。
【請求項３】
前記接着剤が、エポキシ樹脂成分とエポキシ硬化剤成分のうちの１つを含む、請求項１に記載のシステム。
【請求項４】
前記膜被覆を含む第３の容器であって、前記膜被覆は前記第３の容器内の液体粘着材料である第３の容器と、
前記膜被覆を分配するよう設定されるノズルと、をさらに含む請求項１に記載のシステム。
【請求項５】
前記第１の容器と前記第２の容器とを含むプリントヘッドをさらに含み、
前記接着剤が、ポリウレタン、アクリル、シアノアクリレート、熱可塑性物質、および熱硬化性物質のうちの少なくとも１つを含む、請求項１に記載のシステム。
【請求項６】
前記膜被覆が複数のあらかじめ作られたソリッドな膜被覆であって、前記システムは、供給リールと、巻き取りリールと、テープ組立体とを含むテープおよびリール組立体をさらに含み、前記テープ組立体は、前記複数のあらかじめ作られたソリッドな膜被覆を含み、前記システムは、前記接着剤の印刷後、前記複数のあらかじめ作られたソリッドな膜被覆を前記接着剤上に分配し、前記接着剤の空気への露出を少なくし、それによって前記接着剤の硬化速度を下げるようにさらに設定される、請求項１に記載のシステム。
【請求項７】
前記複数のあらかじめ作られたソリッドな膜被覆の各膜皮膜は、前記接着剤から前記あらかじめ作られたソリッドな膜被覆を取り除く助けとなるタブ部を含む、請求項６に記載のシステム。
【手続補正書】
【提出日】平成29年11月22日(2017.11.22)
【手続補正１】
【補正対象書類名】特許請求の範囲
【補正対象項目名】全文
【補正方法】変更
【補正の内容】
【特許請求の範囲】
【請求項１】
間接的な印刷プロセスであって、
インクジェット印刷装置にインク組成物を提供することと、
中間転写体の上に、ポリウレタンを含む濡れ性を向上させた犠牲コーティングを作成することであって、前記濡れ性を向上させた犠牲コーティングを作成することは、前記中間転写体の上に液体コーティング材料を塗布することと、前記コーティング材料を乾燥させることとを含み、
前記コーティング材料を乾燥させた後に、前記濡れ性を向上させた犠牲コーティングの上に、画像状のパターンになるようにインク液滴を放出することと、
前記インクを少なくとも部分的に乾燥させ、前記中間転写体の上に、実質的に乾燥したインクパターンを作成することであって、前記実質的に乾燥したインクパターンは、乾燥インクの合計重量を基準として、５％未満の水または溶媒を含み、
前記実質的に乾燥したインクパターンおよび前記濡れ性を向上させた犠牲コーティングの両方を前記中間転写体から最終基材に転写することとを含む、プロセス。
【請求項２】
前記濡れ性を向上させた前記犠牲コーティングが、前記インクの乾燥中に前記インクによって不溶性ではない、請求項１に記載のプロセス。
【請求項３】
前記濡れ性を向上させた前記犠牲コーティングが、（ａ）イソシアネート官能基を含有するポリマーまたはオリゴマー、（ｂ）ヒドロキシル官能基を含有するポリマーまたはオリゴマー、および（ｃ）反応性ヒドロキシル含有化合物を反応させることによって作られる表面改質されたポリウレタンポリマーコーティングを含む、請求項１に記載のプロセス。
【請求項４】
前記反応性ヒドロキシル含有化合物が、（ｉ）少なくとも１つのポリシロキサン単位を含有する、ヒドロキシル官能基化されたポリマーまたはオリゴマー、および（ｉｉ）ヒドロキシル官能基化されたフルオロ架橋する材料からなる群から選択される、請求項３に記載のプロセス。
【請求項５】
前記ポリウレタンが水系である、請求項１に記載のプロセス。
【請求項６】
前記ポリウレタンが非水性溶媒に由来するポリマーである、請求項１に記載のプロセス。
【請求項７】
前記ポリウレタンは、１５０℃未満のガラス転移温度を有する、請求項１に記載のプロセス。
【請求項８】
前記実質的に乾燥したインクパターンおよび前記濡れ性を向上させた犠牲コーティングを転写することは、前記中間転写体を加熱することを含む、請求項１に記載のプロセス。
【手続補正書】
【提出日】平成29年12月5日(2017.12.5)
【手続補正１】
【補正対象書類名】特許請求の範囲
【補正対象項目名】全文
【補正方法】変更
【補正の内容】
【特許請求の範囲】
【請求項１】
反射体層、
前記反射体層にわたって広がる誘電体層であって、前記反射体層及び前記誘電体層が５５０ｎｍを超える波長を有する入射白色光の７０％超を反射する、誘電体層、及び
前記誘電体層にわたって広がる選択吸収層であって、５５０ｎｍ未満の波長を有する前記入射白色光の７０％超を吸収する、選択吸収層
を備え、
前記反射体層、誘電体層、及び選択吸収層が全方向性反射体を形成し、前記全方向性反射体が、５５０〜７００ｎｍの間の中心波長、幅２００ｎｍ未満の幅、及び前記全方向性反射体を０と４５ｏの間の角度から見た場合の６０ｎｍ未満の色ずれを有する可視電磁放射線の狭い帯域を反射し、前記全方向性反射体は赤色全方向構造色を示す、
赤色全方向構造色を表示する多層積層体。
【請求項２】
前記反射体層が、５０〜２００ｎｍの厚さを有する、請求項１に記載の多層積層体。
【請求項３】
前記誘電体層が、３０〜３００ｎｍの厚さを有する、請求項１又は２に記載の多層積層体。
【請求項４】
前記選択吸収層が、２０〜８０ｎｍの厚さを有する、請求項１〜３のいずれか一項に記載の多層積層体。
【請求項５】
前記全方向性反射体が、１μｍ未満の総厚を有する、請求項１〜４のいずれか一項に記載の多層積層体。
【請求項６】
前記中心波長が、３０ｏ未満の色相シフトを有する、請求項１〜５のいずれか一項に記載の多層積層体。
【請求項７】
前記誘電体層が、０．１ＱＷを超え、かつ３．０ＱＷ未満の光学的厚さを有する、請求項１〜６のいずれか一項に記載の多層積層体。
【請求項８】
前記誘電体層が、１．６を超える屈折率を有し、かつＺｎＳ、ＴｉＯ２、ＨｆＯ２、Ｎｂ２Ｏ５、Ｔａ２Ｏ５、及びこれらの組合せからなる群から選択される誘電材料を含有するか、又は、前記誘電体層が、Ｆｅ２Ｏ３、Ｃｕ２Ｏ、及びこれらの組合せからなる群から選択される有色の誘電材料を含有する、請求項１〜７のいずれか一項に記載の多層積層体。
【請求項９】
前記選択吸収層が、Ｃｕ、Ａｕ、Ｚｎ、Ｓｎ、及びこれらの合金からなる群から選択される有色の金属を含有するか、又は、前記選択吸収層が、Ｆｅ２Ｏ３、Ｃｕ２Ｏ、及びこれらの組合せからなる群から選択される有色の誘電材料を含有する、請求項１〜８のいずれか一項に記載の多層積層体。
【請求項１０】
前記誘電体層に加えて第二の誘電体層をさらに備え、前記第二の誘電体層が前記選択吸収層にわたって広がり、かつ、前記第二の誘電体層が前記選択吸収層について前記誘電体層と反対側に配置され、
前記反射体層、誘電体層、選択吸収層、及び第二の誘電体層が、前記全方向性反射体を形成する、請求項１〜９のいずれか一項に記載の多層積層体。
【手続補正書】
【提出日】平成29年12月4日(2017.12.4)
【手続補正１】
【補正対象書類名】特許請求の範囲
【補正対象項目名】全文
【補正方法】変更
【補正の内容】
【特許請求の範囲】
【請求項１】
フルオロポリマーエラストマーを含むイメージング部材表面に、ハイドロフルオロエーテル液を含む調整液を塗布し、前記イメージング部材表面が前記調整液を吸収する、塗布するステップと、
前記調整液が含浸された前記イメージング部材表面に湿し液の均一層を塗布するステップと、
前記調整液を塗布した後に、前記イメージング部材表面をインキングするステップと、
を含むインクベースのディジタル印刷システムのための方法。
【請求項２】
前記イメージング部材表面が、ハイドロフルオロエラストマーと、シリコーンおよびハイドロフルオロエラストマーの混成物および混合物とを含む請求項１に記載の方法。
【請求項３】
湿し液の前記均一層を現像し、前記層をレーザイメージングシステムからレーザ照射露光することで、潜像を形成するステップを含む請求項１に記載の方法。
【請求項４】
前記インク画像を印刷可能基板へ転写するステップを含む請求項１に記載の方法。
【請求項５】
前記印刷可能基板が紙を含む請求項４に記載の方法。
【請求項６】
前記イメージング部材表面に塗布した前記調整液が前記イメージング部材表面により吸収された後、浸し液の前記均一層を前記イメージング部材表面に塗布するステップをさらに含む請求項１に記載の方法。
【請求項７】
イメージング部材表面に、ハイドロフルオロエーテル液を含む調整液を塗布し、前記イメージング部材表面が前記調整液を吸収する、塗布するステップと、
前記調整液が含浸された前記イメージング部材表面に湿し液の均一層を塗布するステップと、
前記調整液を塗布した後に、前記イメージング部材表面をインキングするステップと、
を含むインクベースのディジタル印刷システムのための方法。
【請求項８】
前記イメージング部材表面が、フルオロポリマーエラストマーを含む請求項７に記載の方法。
【請求項９】
前記イメージング部材表面が、ハイドロフルオロエラストマーと、シリコーンおよびハイドロフルオロエラストマーの混成物および混合物とを含む請求項７に記載の方法。
【請求項１０】
湿し液の前記均一層を現像し、前記層をレーザイメージングシステムからレーザ照射露光することで、潜像を形成するステップを含む請求項７に記載の方法。
【請求項１１】
前記インク画像を印刷可能基板へ転写するステップを含む請求項７に記載の方法。
【請求項１２】
前記印刷可能基板が、紙を含む請求項１１に記載の方法。
【請求項１３】
前記イメージング部材表面が、合成ゴムを含む請求項７に記載の方法。
【請求項１４】
前記イメージング部材表面に塗布した前記調整液が前記イメージング部材表面により吸収された後、浸し液の前記均一層を前記イメージング部材表面に塗布するステップをさらに含む請求項７に記載の方法。
【手続補正書】
【提出日】平成29年12月7日(2017.12.7)
【手続補正１】
【補正対象書類名】特許請求の範囲
【補正対象項目名】全文
【補正方法】変更
【補正の内容】
【特許請求の範囲】
【請求項１】
インクジェット印刷ヘッドの前面であって、
前面と；
前面に配置されたシロキシフルオロカーボンが網目構造を形成したポリマーとを含み、
前記シロキシフルオロカーボンが網目構造を形成したポリマーは、２〜１２個のアルコキシシラン前駆体物質を含む混合物の重合生成物であり、
前記アルコキシシラン前駆体物質の少なくとも１つは、芳香族アルコキシシラン前駆体物質であり、疎水性アルコキシシラン前駆体物質の芳香族アルコキシシラン前駆体物質に対するモル比が１：９〜９：１であり、
前記シロキシフルオロカーボンが網目構造を形成したポリマーは、ケトン、塩素化溶媒およびエーテルからなる群から選択される溶媒に不溶性である、インクジェット印刷ヘッドの前面。
【請求項２】
前記シロキシフルオロカーボンが網目構造を形成したポリマーは、２〜８個のアルコキシシラン前駆体物質を含む混合物の重合生成物である、請求項１に記載のインクジェット印刷ヘッドの前面。
【請求項３】
前記疎水性アルコキシシラン前駆体物質および前記芳香族アルコキシシラン前駆体物質は、前記シロキシフルオロカーボンが網目構造を形成したポリマー中に均一に分布する、請求項１に記載のインクジェット印刷ヘッドの前面。
【請求項４】
前記疎水性アルコキシシラン前駆体物質の少なくとも１つは、直鎖の炭化水素、分枝鎖の炭化水素、直鎖のフルオロアルカン、分枝鎖のフルオロアルカン、およびフルオロアレーンからなる群から選択される、請求項１に記載のインクジェット印刷ヘッドの前面。
【請求項５】
前記芳香族アルコキシシラン前駆体物質は、所定の波長の光を吸収する、請求項１に記載のインクジェット印刷ヘッドの前面。
【請求項６】
前記芳香族アルコキシシラン前駆体物質は、２４８ｎｍの波長で光を吸収する、請求項１に記載のインクジェット印刷ヘッドの前面。
【請求項７】
前記アルコキシシラン前駆体物質は、酸化ケイ素（Ｓｉ−Ｏ−Ｓｉ）結合を介し、単一の系で一緒に結合している、請求項１に記載のインクジェット印刷ヘッドの前面。
【手続補正書】
【提出日】平成29年12月6日(2017.12.6)
【手続補正１】
【補正対象書類名】特許請求の範囲
【補正対象項目名】全文
【補正方法】変更
【補正の内容】
【特許請求の範囲】
【請求項１】
中間体基材を使用する可変データオフセット印刷プロセスのためのインク組成物であって、
ナノ粒子ポリマーまたはナノ粒子ポリマーのブレンドを含み、前記ポリマーまたは前記ブレンドのポリマーが水分散性であり、前記ポリマーまたは前記ブレンドのポリマーがシロキサンモノマーを含み、
合計固形分含有量が、２５％以上の範囲の量であり、
前記インク組成物は、２０℃〜５０℃の温度範囲での粘度が、１０センチポイズ〜１，０００，０００センチポイズであり、
前記インク組成物の表面張力は、２５℃または２０〜５０℃の温度範囲で１５〜４０ダイン／センチメートルである、インク組成物。
【請求項２】
前記合計固形分含有量が、２５％〜５０％の範囲の量である、請求項１に記載のインク組成物。
【請求項３】
前記合計固形分含有量が、５０％より大きい、請求項１に記載のインク組成物。
【請求項４】
前記ブレンドが、シロキサンモノマーと、スルホン酸化スチレン、スチレン、スルホン酸化ポリエステル、カルボキシル−ポリエステル、ポリエステル、スルホン酸化スチレン、スチレン、グリコール、多官能グリコール、アルコール、多官能アルコール、酸および塩を含む群から選択される１種類以上の成分とを含む、請求項１に記載のインク組成物。
【請求項５】
前記ポリマーまたは前記ブレンドのポリマーは、分子量が５０００〜２０，０００である、請求項１に記載のインク組成物。
【請求項６】
前記ポリマーまたは前記ブレンドのポリマーは、１０％未満の水溶性部分と、３０％未満の量の２０〜５０℃の温度で非水性の液体媒剤に可溶性である部分を含有する、請求項１に記載のインク組成物。
【請求項７】
前記ポリマーまたは前記ブレンドのポリマーが不飽和官能基を含み、前記不飽和官能基は、５重量％〜１５重量％の量で存在する、請求項１に記載のインク組成物。
【請求項８】
前記ポリマーまたは前記ブレンドのポリマーが不飽和官能基を含む、、請求項１に記載のインク組成物。
【請求項９】
共溶媒を含み、前記共溶媒は、表面張力が、１５ダイン／センチメートル〜３０ダイン／センチメートルであり、前記共溶媒が、アルコール、グリコール、アルキルピロリジノン、イソプロパノール、メチルエチルケトンから本質的になる群から選択されるケトン、アミノアルコールおよびＤＭＳＯを含む群から選択される、請求項１に記載のインク組成物。
【請求項１０】
前記ナノ粒子ポリマーは、大きさが１ミクロン未満であるか、または二峰性または三峰性の分布を形成するナノ粒子の混合物である、請求項１に記載のインク組成物。
【請求項１１】
前記インク組成物の固形分が、ナノ粒子ポリマー樹脂、無機粒子、シリカ、顔料、塩、殺生物剤、バッファーまたは保水剤のいずれか、またはそれらの混合物を含む、請求項１に記載のインク組成物。
【請求項１２】
粒径が５〜２００ｎｍの自己分散性顔料を含み、前記顔料が化学修飾されているか、または樹脂に包まれている、請求項１に記載のインク組成物。
【請求項１３】
前記固形分が、樹脂で包み込まれ、ナノ粒子ポリマーを形成する自己分散性顔料を含む、請求項１に記載のインク組成物。
【請求項１４】
界面活性剤をさらに含む、請求項１に記載のインク組成物。
【請求項１５】
前記ポリマーまたは前記ブレンドの臨界相分離温度が５０℃〜９０℃である、請求項１に記載のインク組成物。
【請求項１６】
密度の範囲が０．９５〜１．３ｇ／ｍＬである、請求項１に記載のインク組成物。
【請求項１７】
顔料を包み込むために用いられる樹脂は、顔料とこれを包み込む樹脂とを合わせた重量の９％〜６６％である、請求項１３に記載の組成物。
【請求項１８】
前記ブレンドの前記シロキサンモノマー成分が５重量％〜３０重量％の範囲である、請求項１に記載のインク組成物。
【請求項１９】
固形分含有量が高いシロキサン含有インクを用いて印刷する方法であって、
ナノ粒子ポリマーまたはナノ粒子ポリマーのブレンドを含むインクを中間転写体に塗布することを含み、
前記ポリマーまたは前記ブレンドのポリマーは水分散性であり、
前記ポリマーまたは前記ブレンドのポリマーがシロキサンモノマーを含み、
合計固形分含有量が、２５重量％〜５０重量％の範囲の量であり、
前記インクは、２０℃〜５０℃の温度範囲での粘度が、１０センチポイズ〜１，０００，０００センチポイズであり、
前記インクの表面張力は、２５℃または２０〜５０℃の温度範囲で１５〜４０ダイン／センチメートルである、方法。
【請求項２０】
前記中間転写体の表面張力が１８ダイン／センチメートル〜２５ダイン／センチメートルである、請求項１９に記載の方法。
【請求項２１】
前記中間転写体が、シリコーンまたはフルオロシリコーンを含む表面を有する、請求項１９に記載の方法。
【請求項２２】
臨界相分離温度の上限である３０℃〜５０℃の温度よりも高いインク温度で前記インクを塗布することと、
前記中間転写体の上で前記インクを冷却することと、
前記インクを前記中間転写体から印刷可能な基材へと転写することと、
をさらに含む、請求項１９に記載の方法。
【請求項２３】
前記塗布することが、表面張力が２０ダイン／センチメートル〜３０ダイン／センチメートルである薄膜を形成することをさらに含む、請求項２２に記載の方法。
【請求項２４】
中間体基材を使用する可変データオフセット印刷プロセスのためのインク組成物であって、
ナノ粒子ポリマーまたはナノ粒子ポリマーのブレンドを含み、前記ポリマーまたは前記ブレンドのポリマーが水分散性であり、前記ポリマーまたは前記ブレンドのポリマーがシロキサンモノマーを含み、
合計固形分含有量が、２５％以上の範囲の量であり、
前記インク組成物は、液体媒剤の０〜８０％を失った後のインクの１０℃〜９０℃の温度での粘度が、１０，０００センチポイズ〜１，０００，０００，０００センチポイズであり、
前記インク組成物の表面張力は、２５℃または２０〜５０℃の温度範囲で１５〜４０ダイン／センチメートルである、インク組成物。
【手続補正２】
【補正対象書類名】明細書
【補正対象項目名】発明の名称
【補正方法】変更
【補正の内容】
【発明の名称】インク組成物および印刷方法
【手続補正書】
【提出日】平成30年8月1日(2018.8.1)
【手続補正１】
【補正対象書類名】特許請求の範囲
【補正対象項目名】全文
【補正方法】変更
【補正の内容】
【特許請求の範囲】
【請求項１】
遊技媒体が移動する経路として、第１所定領域と第２所定領域とが設けられた所定経路と、該所定経路とは異なる特別経路とを含み、
遊技媒体を用いた遊技が可能な遊技機であって、
遊技媒体の発射対象が前記所定経路のうち前記第１所定領域と前記第２所定領域とのいずれかであるかに応じて異なる態様にて発射促進報知を行う発射促進報知手段を備え、
前記発射促進報知の態様は、第１の大きさで報知する第１発射促進報知と前記第１の大きさと異なる第２の大きさで報知する第２発射促進報知を含む、
ことを特徴とする遊技機。
【手続補正２】
【補正対象書類名】明細書
【補正対象項目名】０００６
【補正方法】変更
【補正の内容】
【０００６】
前記課題を解決するために、手段Ａの遊技機は、
遊技媒体が移動する経路として、第１所定領域と第２所定領域とが設けられた所定経路と、該所定経路とは異なる特別経路とを含み、遊技媒体を用いた遊技が可能な遊技機であって、遊技媒体の発射対象が前記所定経路のうち前記第１所定領域と前記第２所定領域とのいずれかであるかに応じて異なる態様にて発射促進報知を行う発射促進報知手段を備え、前記発射促進報知の態様は、第１の大きさで報知する第１発射促進報知と前記第１の大きさと異なる第２の大きさで報知することを特徴としている。
前記課題を解決するために、手段１の遊技機は、
遊技媒体（例えば、遊技球）が移動する経路として、第１所定領域（例えば、普通可変入賞球装置６Ｂ）と第２所定領域（例えば、第２特別可変入賞球装置７Ｂ）とが設けられた所定経路（例えば、第２経路Ｃ２）と、該所定経路とは異なる特別経路（例えば、第１経路Ｃ１）とを含み、
遊技媒体を用いた遊技が可能な遊技機（例えば、パチンコ遊技機１）であって、
遊技媒体の発射対象が前記所定経路のうち前記第１所定領域と前記第２所定領域とのいずれかであるかに応じて異なる態様（例えば、普通可変入賞球装置６Ｂを対象とする第１発射促進演出の場合は青色ゲージの減少更新を実行し、第２特別可変入賞球装置７Ｂを対象とする第２発射促進演出の場合は赤色ゲージの減少更新を実行する部分）にて発射促進報知を行う発射促進報知手段（例えば、演出制御用ＣＰＵ１２０が発射促進演出実行処理を実行する部分）
を備える
ことを特徴としている。
この特徴によれば、発射促進報知によって、遊技媒体を発射する対象に対して遊技者の注意を十分に引き付けることができる。
【手続補正３】
【補正対象書類名】明細書
【補正対象項目名】０００７
【補正方法】変更
【補正の内容】
【０００７】
手段２の遊技機は、手段１の遊技機であって、
前記発射促進報知手段は、発射対象に対応した有効期間の経過に応じて前記発射促進報知の報知態様を変化させる（例えば、第１発射促進演出において青色ゲージの減少更新を実行する部分や、第２発射促進演出において赤色ゲージの減少更新を実行する部分）
ことを特徴としている。
この特徴によれば、対象に対応した有効期間を遊技者に認識させることができるので、遊技者に対してより適切に発射促進報知を行うことができる。
【手続補正４】
【補正対象書類名】明細書
【補正対象項目名】０００８
【補正方法】変更
【補正の内容】
【０００８】
手段３の遊技機は、手段１または手段２の遊技機であって、
前記発射促進報知手段は、
発射対象が前記所定経路である場合に、前記第１所定領域と前記第２所定領域とのそれぞれに対する発射促進報知とは異なる態様（例えば、右打ちを行う旨の指示の表示を実行する部分）にて発射促進報知を行い、
発射対象が前記特別経路である場合に、前記第１所定領域と前記第２所定領域と前記所定経路とのそれぞれに対する発射促進報知とは異なる態様（例えば、左打ちを行う旨の指示の表示を実行する部分）にて発射促進報知を行う
ことを特徴としている。
この特徴によれば、所定経路及び特別経路のそれぞれに対する発射促進報知の態様を、第１所定領域及び第２所定領域とは異なる態様にて行うことができるので、第１所定領域と第２所定領域とのそれぞれに対する発射促進報知に対して遊技者の注意を一層引きつけることができる。
【手続補正５】
【補正対象書類名】明細書
【補正対象項目名】０００９
【補正方法】変更
【補正の内容】
【０００９】
手段４の遊技機は、手段１、手段２、手段３のいずれかの遊技機であって、
前記第１所定領域への遊技媒体の進入を契機に変動表示を開始する変動表示手段（例えば、第２特別図柄表示器４Ｂや演出表示装置５）と、
前記変動表示手段において所定表示結果（例えば、小当り図柄や小当りを示す組合せの演出図柄）が導出表示されたことに基づいて、前記第２所定領域を遊技媒体が進入可能な状態とすることで該第２所定領域を発射対象とする対象制御手段（例えば、演出制御用ＣＰＵ１２０が発射促進演出実行処理のＳ４０６において小当りを示す当り開始指定コマンドを受信したと判定した場合にＳ４１７〜Ｓ４２１を実行する部分）と、
を備える
ことを特徴としている。
この特徴によれば、変動表示の実行中に遊技媒体の発射が停止されている場合であっても、発射対象が第１所定領域である場合とは異なる態様で発射対象が第２所定領域である発射促進報知を実行することで、遊技者に対して遊技媒体の発射を適切に促すことができるので、所定表示結果が導出表示されたことに基づいて、遊技媒体が第２所定領域に進入しないことにより生じる遊技者の不利益の発生を抑制することができる。
【手続補正６】
【補正対象書類名】明細書
【補正対象項目名】００１０
【補正方法】変更
【補正の内容】
【００１０】
手段５の遊技機は、手段４の遊技機であって、
所定演出（例えば、Ｖ入賞判定演出）を実行可能な演出実行手段（例えば、演出制御用ＣＰＵ１２０がＶ入賞判定演出実行処理を実行する部分）を備え、
前記発射促進報知手段は、前記所定演出の実行中において、前記第１所定領域が発射対象である場合の発射促進報知を行い、その後に前記第２所定領域が発射対象である場合の発射促進報知とを行う（例えば、図１２（Ｆ）〜図１２（Ｈ）に示すように、Ｖ入賞判定演出の実行中に第１発射促進演出と第２発射促進演出とを連続して実行する部分）
ことを特徴としている。
この特徴によれば、所定演出に注目している遊技者に対してより適切に遊技媒体の発射を促すことが出来るので、遊技媒体が第２所定領域に進入しないことにより生じる遊技者の不利益の発生をより一層抑制することができる。
【手続補正書】
【提出日】平成30年9月3日(2018.9.3)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
優先度が異なる複数種類の事象に対応しての異常を判定可能な異常判定手段と、
前記異常判定手段によって異常が判定されたときに、該判定された異常の優先度が報知
中の異常の優先度よりも高い場合に報知中の異常についての報知を終了し、該判定された異常についての報知を
行う異常報知手段と、
前記異常判定手段によって異常が判定されたことにもとづいて、該判定された異常に対
応した状態に制御する状態制御手段と、
前記異常判定手段によって異常が判定されたときに、異常に対応した状態において所定の外部出力信号を出力可能な外部出力手段と、
を備え、
前記異常報知手段は、前記状態制御手段により制御されている状態が所定状態であると
きに、異常に対応する新たな事象が発生した場合には、異常の優先度にかかわらず前記所
定状態の制御の契機となった異常についての報知を継続する
ことを特徴とする遊技機。
【手続補正２】
【補正対象書類名】明細書
【補正対象項目名】０００７
【補正方法】変更
【補正の内容】
【０００７】
前記課題を解決するために、本発明の請求項１に記載の遊技機は、
遊技を行うことが可能な遊技機（例えば、パチンコ遊技機１）であって、
優先度が異なる複数種類の事象に対応しての異常の発生を判定可能な異常判定手段（例えば、ＣＰＵ１０３が、図１９に示す各エラー（異常）の発生を判定する異常判定処理を実行する部分）と、
前記異常判定手段によって異常が判定されたときに、該判定された異常の優先度が報知中の異常の優先度よりも高い場合に報知中の異常についての報知を終了し、該判定された異常についての報知を行う異常報知手段（例えば、メイン側エラー処理のＳ４０７において、報知中のエラーよりも優先度の高いエラーを判定した場合に、遊技停止フラグがセットされていない場合には、優先度の高いエラーのエラー指定コマンドを演出制御基板１２に対して送信することにより、演出制御基板１２の演出制御用ＣＰＵ１２０が実行するエラー報知処理において、該優先度の高いエラーのエラー報知を、既に実行されているエラー報知に代えて実行する部分）と、
前記異常判定手段によって異常が判定されたことにもとづいて、該判定された異常に対応した状態に制御する状態制御手段（例えば、ＣＰＵ１０３が、Ｓ４１１において遊技球の発射を禁止して遊技停止状態とする部分）と、
前記異常判定手段によって異常が判定されたときに、異常に対応した状態において所定の外部出力信号を出力可能な外部出力手段と、
を備え、
前記異常報知手段は、前記状態制御手段により制御されている状態が所定状態（例えば、遊技停止フラグがセットされている遊技停止状態）であるときに、異常に対応する新たな事象が発生した場合には、異常の優先度にかかわらず前記所定状態の制御の契機となった異常についての報知を継続する（例えば、メイン側エラー処理のＳ４０７において、報知中のエラーよりも優先度の高いエラーを判定した場合に遊技停止フラグがセットされている場合には、優先度の高いエラーのエラー指定コマンドを演出制御基板１２に対して送信しないことにより、演出制御基板１２の演出制御用ＣＰＵ１２０が、該優先度の高いエラーのエラー報知を実行せずに、既に実行中のエラーの報知を継続する部分）、
ことを特徴としている。
この特徴によれば、所定状態に制御される契機となった事象が確認困難となってしまうことを防ぐことができる。
【手続補正書】
【提出日】平成30年9月3日(2018.9.3)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
優先度が異なる複数種類の事象に対応しての異常を判定可能な異常判定手段と、
前記異常判定手段によって異常が判定されたときに、該判定された異常の優先度が報知中の異常の優先度よりも高い場合に報知中の異常についての報知を終了し、該判定された異常についての報知を行う異常報知手段と、
前記異常判定手段によって異常が判定されたときに、遊技機の外部に所定の外部出力信号を出力可能な外部出力手段と、
前記異常判定手段によって異常が判定されたことにもとづいて、該判定された異常に対応した状態に制御する状態制御手段と、
を備え、
前記外部出力手段は、前記状態制御手段により制御されている状態が所定状態であるときに、異常に対応する新たな事象が発生した場合には、異常の優先度にかかわらず前記所定状態の制御の契機となった異常に対応した外部出力信号の出力を継続可能であり、
前記異常判定手段は、前記所定状態としての遊技停止状態に制御される複数の異常を判定可能である
ことを特徴とする遊技機。
【手続補正２】
【補正対象書類名】明細書
【補正対象項目名】０００７
【補正方法】変更
【補正の内容】
【０００７】
前記課題を解決するために、本発明の請求項１に記載の遊技機は、
遊技を行うことが可能な遊技機（例えば、パチンコ遊技機１）であって、
優先度が異なる複数種類の事象に対応しての異常の発生を判定可能な異常判定手段（例えば、ＣＰＵ１０３が、図１９に示す各エラー（異常）の発生を判定する異常判定処理を実行する部分）と、
前記異常判定手段によって異常が判定されたときに、該判定された異常の優先度が報知中の異常の優先度よりも高い場合に報知中の異常についての報知を終了し、該判定された異常についての報知を行う異常報知手段（例えば、メイン側エラー処理のＳ４０７において、報知中のエラーよりも優先度の高いエラーを判定した場合に、遊技停止フラグがセットされていない場合には、優先度の高いエラーのエラー指定コマンドを演出制御基板１２に対して送信することにより、演出制御基板１２の演出制御用ＣＰＵ１２０が実行するエラー報知処理において、該優先度の高いエラーのエラー報知を、既に実行されているエラー報知に代えて実行する部分）と、
前記異常判定手段によって異常が判定されたときに、遊技機の外部に所定の外部出力信号を出力可能な外部出力手段（例えば、メイン側エラー処理のＳ４１４において、セキュリティ信号の出力設定を行うことで、情報出力処理においてターミナル基盤１６からセキュリティ信号が出力される部分）と、
前記異常判定手段によって異常が判定されたことにもとづいて、該判定された異常に対応した状態に制御する状態制御手段（例えば、ＣＰＵ１０３が、Ｓ４１１において遊技球の発射を禁止して遊技停止状態とする部分）と、
を備え、
前記外部出力手段は、前記状態制御手段により制御されている状態が所定状態（例えば、遊技停止フラグがセットされている遊技停止状態）であるときに、異常に対応する新たな事象が発生した場合には、異常の優先度にかかわらず前記所定状態の制御の契機となった異常に対応した外部出力信号の出力を継続可能であり(例えば、メイン側エラー処理のＳ４０７において、報知中のエラーよりも優先度の高いエラーを判定した場合に遊技停止フラグがセットされている場合には、優先度の高いエラーのセキュリティ信号の出力設定を行なわいことにより、既に出力しているセキュリティ信号の出力を継続する部分）、
前記異常判定手段は、前記所定状態としての遊技停止状態に制御される複数の異常を判定可能である
ことを特徴としている。
この特徴によれば、外部出力信号が出力される契機となった事象を、遊技機の外部において確認困難となってしまうことを防ぐことができる。
【手続補正書】
【提出日】平成30年9月21日(2018.9.21)
【手続補正１】
【補正対象書類名】特許請求の範囲
【補正対象項目名】全文
【補正方法】変更
【補正の内容】
【特許請求の範囲】
【請求項１】
（ａ）（ｉ）増幅部位のアレイと、
（ｉｉ）複数の異なる標的核酸を含む溶液と
を含む増幅試薬を準備するステップであって、
溶液中の異なる標的核酸の数は、アレイ中の増幅部位の数を超え、
異なる標的核酸は、複数の増幅部位への流動性アクセスを有し、
各増幅部位は、複数の異なる標的核酸中のいくつかの核酸に対するキャパシティーを含む、ステップと、
（ｂ）増幅試薬を反応させて、各々、溶液に由来する個々の標的核酸から得られたアンプリコンのクローナル集団を含む複数の増幅部位を製造するステップであって、
反応させることは、（ｉ）増幅部位でシーディングするために各増幅部位に輸送する第１の個々の標的核酸から第１のアンプリコンを製造することと、（ｉｉ）増幅部位でシーディングされた個々の標的核酸から、または第１アンプリコンから、その次のアンプリコンを製造することとを含み、増幅部位でその次のアンプリコンが生成される速度が、増幅部位で第１のアンプリコンが生成される速度を超えることにより、前記第１の個々の標的核酸とは異なる第２の個々の標的核酸からのアンプリコンの製造を阻害する、ステップとを含む、
核酸を増幅する方法。
【請求項２】
各増幅部位が、（ｂ）においてアンプリコンを製造するために使用される複数のプライマーを含む、請求項１に記載の方法。
【請求項３】
第１のアンプリコンの製造が、少なくとも１種のプライマーを、非伸長可能状態から伸長可能状態へ変換することを含み、（ｉ）前記変換することは、加ピロリン酸分解を用いて前記プライマーの３’末端においてジデオキシヌクレオチドまたはその他の非伸長可能ヌクレオチドを除去することを含むか、（ｉｉ）前記変換することは、ポリメラーゼまたはその他の適当な酵素のエキソヌクレアーゼ活性によりジデオキシヌクレオチドまたはその他の非伸長可能ヌクレオチドを除去することを含むか、又は（ｉｉｉ）前記変換することは、プライマーから可逆的ターミネーターを除去することを含む、請求項２に記載の方法。
【請求項４】
増幅部位のアレイが、表面上のフィーチャのアレイを含み、前記フィーチャが、介在領域によって部分的にまたは完全に互いに分離された表面の領域である、請求項２に記載の方法。
【請求項５】
フィーチャが不連続であり、（ｂ）においてアンプリコンを製造するために使用されるプライマーを欠く表面の介在領域によって分離されている、請求項４に記載の方法。
【請求項６】
反応させることが、（ｉ）第１のアンプリコンの製造および（ｉｉ）その次のアンプリコンの製造と同時に、溶液から増幅部位へ標的核酸を輸送することを含む、請求項１に記載の方法。
【請求項７】
標的核酸が、（ｉ）第１のアンプリコンの製造および（ｉｉ）その次のアンプリコンの製造前に、溶液から増幅部位へ輸送される、請求項に１記載の方法。
【請求項８】
各増幅部位が、溶液中の異なる標的核酸と結合できる複数の捕捉剤を含む、請求項１に記載の方法。
【請求項９】
増幅部位のアレイが、表面上のフィーチャのアレイを含み、前記フィーチャが、介在領域によって部分的にまたは完全に互いに分離された表面の領域である、請求項１に記載の方法。
【請求項１０】
各フィーチャの区域が、各増幅部位に輸送される個々の標的核酸の排除体積の平均直径よりも大きい、請求項９に記載の方法。
【請求項１１】
フィーチャが、不連続であり、捕捉剤を欠く表面の介在領域によって分離している、請求項１０に記載の方法。
【請求項１２】
各フィーチャが、ビーズ、ウェル、チャネル、リッジ、突起またはそれらの組合せを含む、請求項９に記載の方法。
【請求項１３】
捕捉剤が、異なる標的核酸と相補的である捕捉核酸を含む、請求項８に記載の方法。
【請求項１４】
異なる標的核酸が、捕捉核酸と相補的であるユニバーサル配列を含む、請求項１３に記載の方法。
【請求項１５】
捕捉剤が、異なる標的核酸に付着されたリガンドと結合する受容体を含む、請求項８に記載の方法。
【手続補正書】
【提出日】平成30年8月6日(2018.8.6)
【手続補正１】
【補正対象書類名】特許請求の範囲
【補正対象項目名】全文
【補正方法】変更
【補正の内容】
【特許請求の範囲】
【請求項１】
前半部分から後半部分に移行することが、遊技者に有利な事象として設定されている第一予告演出および第二予告演出を実行する演出実行手段を備え、
前記第一予告演出が前半部分から後半部分に移行するか否かの結末、および前記第二予告演出が前半部分から後半部分に移行するか否かの結末が略同時に示され、
前記第一予告演出および前記第二予告演出の両方が前半部分から後半部分に移行しなかった場合には、遊技者に利益が付与される可能性は無くなり、
前記第一予告演出および前記第二予告演出の少なくともいずれか一方が前半部分から後半部分に移行した場合には、遊技者に利益が付与される可能性があるものであって、前記第一予告演出の後半部分にて遊技者に利益が付与されることが報知された場合よりも、前記第二予告演出の後半部分にて遊技者に利益が付与されることが報知された場合の方が、当該利益の期待値が大きくなるように設定されていることを特徴とする遊技機。
【手続補正２】
【補正対象書類名】明細書
【補正対象項目名】０００５
【補正方法】変更
【補正の内容】
【０００５】
上記課題を解決するためになされた本発明にかかる遊技機は、前半部分から後半部分に移行することが、遊技者に有利な事象として設定されている第一予告演出および第二予告演出を実行する演出実行手段を備え、前記第一予告演出が前半部分から後半部分に移行するか否かの結末、および前記第二予告演出が前半部分から後半部分に移行するか否かの結末が略同時に示され、前記第一予告演出および前記第二予告演出の両方が前半部分から後半部分に移行しなかった場合には、遊技者に利益が付与される可能性は無くなり、前記第一予告演出および前記第二予告演出の少なくともいずれか一方が前半部分から後半部分に移行した場合には、遊技者に利益が付与される可能性があるものであって、前記第一予告演出の後半部分にて遊技者に利益が付与されることが報知された場合よりも、前記第二予告演出の後半部分にて遊技者に利益が付与されることが報知された場合の方が、当該利益の期待値が大きくなるように設定されていることを特徴とする。
【手続補正書】
【提出日】平成30年8月1日(2018.8.1)
【手続補正１】
【補正対象書類名】特許請求の範囲
【補正対象項目名】全文
【補正方法】変更
【補正の内容】
【特許請求の範囲】
【請求項１】
端末装置から受信した顧客識別情報と商品情報の出力先を関連付けて記憶する第１記憶手段と、
前記顧客識別情報と前記顧客識別情報で識別される顧客が購入した商品の商品情報を受信して記憶する第２記憶手段と、
前記第２記憶手段に記憶した前記商品情報を前記第１記憶手段に記憶した前記顧客識別情報と関連付けられた前記出力先に出力する第１出力手段と、
前記商品情報に関連する他の商品情報を記憶する第３記憶手段と、
前記商品情報を前記出力先に出力する際に前記商品情報に関連する他の商品情報を前記第３記憶手段から読み出して前記出力先に出力する第２出力手段と、
前記他の商品情報を出力するか否かを設定する設定手段と、
を備えたサーバ。
【請求項２】
前記他の商品情報の出力を停止するための操作子を前記端末装置に表示させるように出力する操作子出力手段、
をさらに備えた請求項１に記載のサーバ。
【請求項３】
前記第２記憶手段は、前記他の商品情報の出力を行うか否かの出力フラグを記憶し、
前記設定手段は、前記端末装置に表示された前記操作子の操作信号を受信すると、前記出力フラグを前記他の商品情報の出力を停止するように設定する、
請求項２に記載のサーバ。
【請求項４】
サーバとしてのコンピュータを、
端末装置から受信した顧客識別情報と商品情報の出力先を関連付けて記憶する第１記憶手段と、
前記顧客識別情報と前記顧客識別情報で識別される顧客が購入した商品の商品情報を受信して記憶する第２記憶手段と、
前記第２記憶手段に記憶した前記商品情報を前記第１記憶手段に記憶した前記顧客識別情報と関連付けられた前記出力先に出力する第１出力手段と、
前記商品情報に関連する他の商品情報を記憶する第３記憶手段と、
前記商品情報を前記出力先に出力する際に前記商品情報に関連する他の商品情報を前記第３記憶手段から読み出して前記出力先に出力する第２出力手段と、
前記他の商品情報を出力するか否かを設定する設定手段と、
して機能させるためのプログラム。
【請求項５】
端末装置から受信した顧客識別情報と商品情報の出力先を関連付けて記憶する第１記憶手段と、
前記顧客識別情報と前記顧客識別情報で識別される顧客が購入した商品の商品情報を受信して記憶する第２記憶手段と、
前記第２記憶手段に記憶した前記商品情報を前記第１記憶手段に記憶した前記顧客識別情報と関連付けられた前記出力先に出力する第１出力手段と、
前記商品情報に関連する他の商品情報を記憶する第３記憶手段と、
前記商品情報を前記出力先に出力する際に前記商品情報に関連する他の商品情報を前記第３記憶手段から読み出して前記出力先に出力する第２出力手段と、
前記他の商品情報を出力するか否かを設定する設定手段と、
を備えたシステム。
【手続補正２】
【補正対象書類名】明細書
【補正対象項目名】発明の名称
【補正方法】変更
【補正の内容】
【発明の名称】サーバ、プログラムおよびシステム
【手続補正３】
【補正対象書類名】明細書
【補正対象項目名】０００１
【補正方法】変更
【補正の内容】
【０００１】
本発明の実施形態は、サーバ、プログラムおよびシステムに関する。
【手続補正４】
【補正対象書類名】明細書
【補正対象項目名】０００６
【補正方法】変更
【補正の内容】
【０００６】
実施形態のサーバは、端末装置から受信した顧客識別情報と商品情報の出力先を関連付けて記憶する第１記憶手段と、前記顧客識別情報と前記顧客識別情報で識別される顧客が購入した商品の商品情報を受信して記憶する第２記憶手段と、前記第２記憶手段に記憶した前記商品情報を前記第１記憶手段に記憶した前記顧客識別情報と関連付けられた前記出力先に出力する第１出力手段と、前記商品情報に関連する他の商品情報を記憶する第３記憶手段と、前記商品情報を前記出力先に出力する際に前記商品情報に関連する他の商品情報を前記第３記憶手段から読み出して前記出力先に出力する第２出力手段と、前記他の商品情報を出力するか否かを設定する設定手段と、を備える。
【手続補正書】
【提出日】平成30年9月7日(2018.9.7)
【手続補正１】
【補正対象書類名】明細書
【補正対象項目名】発明の名称
【補正方法】変更
【補正の内容】
【発明の名称】基板処理方法および基板処理装置
【手続補正２】
【補正対象書類名】明細書
【補正対象項目名】０００１
【補正方法】変更
【補正の内容】
【０００１】
本発明は、基板処理方法および基板処理装置に関する。
【手続補正３】
【補正対象書類名】明細書
【補正対象項目名】０００７
【補正方法】変更
【補正の内容】
【０００７】
本発明は、乾燥時にパターン倒壊を防止することができる基板の処理技術を提供するものである。
【手続補正４】
【補正対象書類名】明細書
【補正対象項目名】０００８
【補正方法】変更
【補正の内容】
【０００８】
本発明の第１の観点によれば、表面に凹凸のパターンが形成された基板を処理する基板処理方法において、前記基板に薬液を供給して前記基板を洗浄する薬液洗浄工程と、前記薬液洗浄工程の後に、前記基板にリンス液を供給するリンス工程と、前記リンス工程の後に、前記基板に昇華性物質の溶液を供給して、前記パターンの凹部内に前記溶液を充填する昇華性物質充填工程と、昇華性物質充填工程の後に、前記パターンの凹部内に固体の状態の前記昇華性物質を析出させる析出工程と、前記析出工程の後に、前記固体の状態の昇華性物質を、昇華させることによって前記基板から除去する昇華性物質除去工程と、を備え、前記薬液洗浄工程と、前記リンス工程と、前記昇華性物質充填工程と、前記析出工程と、前記昇華性物質除去工程と、を１つのユニット内で行う、基板処理方法が提供される。
【手続補正５】
【補正対象書類名】明細書
【補正対象項目名】０００９
【補正方法】変更
【補正の内容】
【０００９】
本発明の第２の観点によれば、表面に凹凸のパターンが形成された基板を処理する基板処理装置において、前記基板を洗浄するために前記基板に薬液を供給する薬液供給部と、前記薬液により洗浄された後の前記基板にリンス液を供給するリンス供給部と、前記パターンの凹部内に昇華性物質の溶液を充填するために、前記リンス液が供給された後の前記基板に前記溶液を供給する昇華性物質供給部と、前記パターンの凹部内に固体の状態の前記昇華性物質を析出させるための動作を行う析出部と、前記固体の状態の昇華性物質を昇華させることにより前記基板から除去するための動作を行う昇華性物質除去部と、を備え、前記薬液供給部と、前記リンス供給部と、前記昇華性物質供給部と、前記析出部と、前記昇華性物質除去部と、が１つのユニット内に設けられる、基板処理装置が提供される。
【手続補正６】
【補正対象書類名】明細書
【補正対象項目名】００１２
【補正方法】変更
【補正の内容】
【００１２】
次に、添付図面を参照して実施の形態について説明する。まずは、液処理後の基板を乾燥させる方法（以下「基板乾燥方法」と称する）を実施するための基板処理装置について説明する。なお、基板乾燥方法は、好ましくは、前工程と組み合わされた一連のプロセス（つまり、「基板処理方法」）として実施される。ここでは、前工程としての薬液洗浄工程およびリンス工程と組み合わされて一連のプロセスとして実施される基板乾燥方法について説明する。
【手続補正７】
【補正対象書類名】特許請求の範囲
【補正対象項目名】全文
【補正方法】変更
【補正の内容】
【特許請求の範囲】
【請求項１】
表面に凹凸のパターンが形成された基板を処理する基板処理方法において、
前記基板に薬液を供給して前記基板を洗浄する薬液洗浄工程と、
前記薬液洗浄工程の後に、前記基板にリンス液を供給するリンス工程と、
前記リンス工程の後に、前記基板に昇華性物質の溶液を供給して、前記パターンの凹部内に前記溶液を充填する昇華性物質充填工程と、
昇華性物質充填工程の後に、前記パターンの凹部内に固体の状態の前記昇華性物質を析出させる析出工程と、
前記析出工程の後に、前記固体の状態の昇華性物質を、昇華させることによって前記基板から除去する昇華性物質除去工程と、
を備え、
前記薬液洗浄工程と、前記リンス工程と、前記昇華性物質充填工程と、前記析出工程と、前記昇華性物質除去工程と、を１つのユニット内で行う、基板処理方法。
【請求項２】
前記１つのユニットは、前記基板を保持する基板保持部と、前記基板保持部を回転駆動する回転駆動部と、を有しており、
前記薬液洗浄工程、前記リンス工程及び前記昇華性物質充填工程は、前記基板保持部により保持された前記基板を前記回転駆動部により回転させつつ、前記薬液、前記リンス液、前記溶液をそれぞれ供給する、請求項１に記載の基板処理方法。
【請求項３】
前記昇華性物質除去工程は、前記基板保持部により前記基板を保持しつつ前記基板に気体を供給する、請求項２に記載の基板処理方法。
【請求項４】
前記昇華性物質除去工程は、前記基板保持部により前記基板を保持しつつ前記ユニットを減圧する、請求項２または３に記載の基板処理方法。
【請求項５】
表面に凹凸のパターンが形成された基板を処理する基板処理装置において、
前記基板を洗浄するために前記基板に薬液を供給する薬液供給部と、
前記薬液により洗浄された後の前記基板にリンス液を供給するリンス供給部と、
前記パターンの凹部内に昇華性物質の溶液を充填するために、前記リンス液が供給された後の前記基板に前記溶液を供給する昇華性物質供給部と、
前記パターンの凹部内に固体の状態の前記昇華性物質を析出させるための動作を行う析出部と、
前記固体の状態の昇華性物質を昇華させることにより前記基板から除去するための動作を行う昇華性物質除去部と、
を備え、
前記薬液供給部と、前記リンス供給部と、前記昇華性物質供給部と、前記析出部と、前記昇華性物質除去部と、が１つのユニット内に設けられる、基板処理装置。
【請求項６】
前記１つのユニットは、前記基板を保持する基板保持部と、前記基板保持部を回転駆動する回転駆動部と、を有しており、
前記薬液供給部による前記薬液の供給、前記リンス供給部による前記リンス液の供給及び前記昇華性物質供給部による前記溶液の供給は、前記基板保持部により保持された前記基板を前記回転駆動部により回転させながら行われる、請求項５に記載の基板処理装置。
【請求項７】
前記昇華性物質除去部は、前記固体の状態の昇華性物質を昇華させるときに前記基板保持部により保持された基板に対して気体を供給する、請求項６に記載の基板処理装置。
【請求項８】
前記昇華性物質除去部は、前記固体の状態の昇華性物質を昇華させるときに前記ユニットを減圧する、請求項６または７に記載の基板処理装置。